(57)【特許請求の範囲】
【請求項１】
インターネットを介してクライアント端末に接続され得る管理サーバを備えたシステムであって、
前記管理サーバには、前記クライアント端末を通じて登録された顧客の個人情報に対応付けて当該顧客のポイントが記憶保存されており、
前記管理サーバは、
前記クライアント端末を通じて、複数の出資先から所定の出資先を選択して出資が可能な出資ページを提供し、
前記クライアント端末を通じて、顧客が前記出資ページにおいて所定の出資先に所定のポイントを出資した場合、当該出資されたポイントを、実際に出資されるポイントと、運営者の手数料になるポイントと、所定の顧客に還元されるポイントとに、所定の割合で分配し且つ集積して記憶保存すると共に、前記出資されたポイントを前記顧客の個人情報に対応付けて記憶保存されたポイントから減算し、更に、
集積された前記所定の顧客に還元されるポイントの全部又は一部を、抽選によって選ばれた所定の顧客の個人情報に対応付けて記憶保存されたポイントに加算することを特徴とする出資システム。
【請求項２】
インターネットを介してクライアント端末に接続され得る管理サーバを備えたシステムであって、
前記管理サーバには、前記クライアント端末を通じて登録された顧客の個人情報に対応付けて当該顧客のポイントが記憶保存されており、
前記管理サーバは、
前記クライアント端末を通じて、複数の出資先から所定の出資先を選択して出資が可能な出資ページを提供し、
前記クライアント端末を通じて、顧客が前記出資ページにおいて所定の出資先に所定のポイントを出資した場合、当該出資されたポイントのうち、実際に出資されるポイントとは別に一部を集積して記憶保存すると共に、前記出資されたポイントを前記顧客の個人情報に対応付けて記憶保存されたポイントから減算し、更に、
前記集積されたポイントの全部又は一部を、抽選によって選ばれた所定の顧客の個人情報に対応付けて記憶保存されたポイントに加算することを特徴とする出資システム。
【発明の詳細な説明】
【０００１】
【発明の属する技術分野】
本発明は、インターネットを介して、電子ショップの顧客等が、所望する企業又は個人に対して出資した場合、当該出資の対価として、宝くじの如く抽選によりポイントを取得できるように構成することにより、一般消費者からの出資（例えば、企業又は個人が運営するホームページの運営費を出資する等）を促進し得る出資システムに関する。
【０００２】
【従来の技術】
従来より、インターネット上に開設されるホームページの運営費として、当該ホームページ上に掲載されるバナー広告の広告費を充当することが行われている。斯かるバナー広告の中には、所定の広告費を一括して支払うことにより、当該バナー広告を所定期間掲載する形態の他、バナー広告をクリックする毎に広告費を積算して課金していく形態も知られている。
【０００３】
しかしながら、前者の広告形態の場合、アクセス頻度等に関わらず所定の広告費を支払う必要があることから、ある程度知名度の高いホームページを除き、広告主を広く集めることが困難である。また、後者の広告形態の場合、当該バナー広告自体が、ホームページにアクセスした者の興味を強く引きつけるもの等でない限り、クリック数を増加させること、つまり広告費を増やすことは困難である。
【０００４】
以上のように、ホームページの運営費に充当する手段として利用されている従来のバナー広告では、知名度が高い特定のホームページに掲載する場合や、趣向を凝らした特定のバナー広告である場合等を除いて、十分な広告費を得ることができず、運営費を充足することが困難であるという問題がある。従って、たとえコンテンツとしては優れたホームページであっても、初期段階では知名度が乏しい等の理由によリ、運営費が充足せず、コンテンツを更に充実させることができなかったり、ホームページの維持自体が困難になるケースもある。
【０００５】
前述した問題は、例示したようなホームページの運営費に限るものではなく、知名度の乏しいベンチャー企業や個人に対して広く出資を促進し得る手段が現状では存在しないため、たとえ優れた技術を有するベンチャー企業や優れた能力を有する個人であったとしても、当該技術や能力を更に成長発展させる機会が損なわれている場合も多々あると考えられる。
【０００６】
【発明が解決しようとする課題】
本発明は、斯かる従来の問題を解決するべくなされたもので、インターネットを介して、企業又は個人に対する一般消費者からの出資を促進し得る出資システムを提供することを課題とする。
【０００７】
【課題を解決するための手段】
前記課題を解決するべく、本発明は、インターネットを介してクライアント端末に接続され得る管理サーバを備えたシステムであって、前記管理サーバには、前記クライアント端末を通じて登録された顧客の個人情報に対応付けて当該顧客のポイントが記憶保存されており、前記管理サーバは、前記クライアント端末を通じて、複数の出資先から所定の出資先を選択して出資が可能な出資ページを提供し、前記クライアント端末を通じて、顧客が前記出資ページにおいて所定の出資先に所定のポイントを出資した場合、当該出資されたポイントを、実際に出資されるポイントと、運営者の手数料になるポイントと、所定の顧客に還元されるポイントとに、所定の割合で分配し且つ集積して記憶保存すると共に、前記出資されたポイントを前記顧客の個人情報に対応付けて記憶保存されたポイントから減算し、更に、集積された前記所定の顧客に還元されるポイントの全部又は一部を、抽選によって選ばれた所定の顧客の個人情報に対応付けて記憶保存されたポイントに加算することを特徴とする出資システムを提供するものである。
また、本発明は、インターネットを介してクライアント端末に接続され得る管理サーバを備えたシステムであって、前記管理サーバには、前記クライアント端末を通じて登録された顧客の個人情報に対応付けて当該顧客のポイントが記憶保存されており、前記管理サーバは、前記クライアント端末を通じて、複数の出資先から所定の出資先を選択して出資が可能な出資ページを提供し、前記クライアント端末を通じて、顧客が前記出資ページにおいて所定の出資先に所定のポイントを出資した場合、当該出資されたポイントのうち、実際に出資されるポイントとは別に一部を集積して記憶保存すると共に、前記出資されたポイントを前記顧客の個人情報に対応付けて記憶保存されたポイントから減算し、更に、前記集積されたポイントの全部又は一部を、抽選によって選ばれた所定の顧客の個人情報に対応付けて記憶保存されたポイントに加算することを特徴とする出資システムを提供するものである。
【０００８】
斯かる発明によれば、ポイント（金銭価値に対応付けられた数値）を出資ページにおいて所望する企業又は個人に出資することにより、当該出資されたポイントの一部が集積され、当該集積されたポイントの全部又は一部を、前記出資の対価として抽選により取得することが可能である。換言すれば、各顧客が出資したポイントは、一部を残して所望する企業又は個人に出資される一方、前記残された一部のポイントは集積されて、言わば宝くじの如く当選した顧客に還元されることになる。実際に企業等に出資されるポイントと残存させるポイントの比率や、当選人数等にも依存するものの、出資した顧客が多数に亘る場合には、その分集積されるポイントも増加するため、当選した顧客に還元されるポイントは、当該顧客が出資したポイント以上になる場合も当然あり得る。従って、顧客としては出資したポイント以上の対価が得られる可能性を期待し得ることになり、これは、たとえ知名度の乏しいベンチャー企業や個人等であったとしても、当該企業又は個人に対する一般消費者からの出資を促進することに通じるものである。なお、ポイントは、例えば、管理サーバの運営者等を通じて、同等の金銭価値を有する企業の商品券に交換可能とする構成を採用することができ、これにより、顧客は蓄積したポイントに基づき実際の商品を購買することが可能である。また、ポイントを出資された企業又は個人は、同様にして、管理サーバの運営者等を通じて、当該ポイントと同等の価値を有する金銭に換金し得る構成を採用することができる。
【０００９】
なお、本発明の場合、収益の用途を顧客側が決定できない一般的な宝くじ等と異なり、用途は企業又は個人に対する出資であることが明確な上、当該企業等の選択を顧客自身が決定することになる。換言すれば、本発明に係る出資システムを利用する顧客にとっては、単に当選するかも知れないという楽しみが得られるに留まらず、自らが選んだ企業や個人に出資し、当該企業等の成長発展の一役を担っているという満足感をも同時に得ることができる。従って、当初は娯楽目的しか有しない顧客をも、一般的な宝くじ等と異なる満足感が得られるということに起因して、本発明に係る出資システムに誘引することが期待でき、ひいては本来の目的である企業等への一般消費者の出資を促進することが可能である。
【００１０】
なお、本発明に係る出資システムにおいては、前記管理サーバは、商品の購買が可能な電子ショップが掲載されたインデックスページを更に提供し、前記クライアント端末を通じて、顧客が前記インデックスページにおいて選択しアクセスした電子ショップにおいて商品を購買した場合、前記管理サーバは、前記商品の購買金額に応じたポイントを算出して、当該ポイントを前記顧客の個人情報に対応付けて記憶保存するように構成してもよい。
【００１１】
斯かる発明によれば、管理サーバ自体が提供する電子ショップ又は管理サーバに接続された他のサーバが提供する電子ショップで商品を購買した場合に、購買価格に応じたポイント（例えば、購買価格に比例する数値）が付与されることになる。従って、電子ショップを利用する顧客自身が、例えば、当該電子ショップを開設している企業等を出資先として選択することができ、企業等に対する一般消費者からの出資を促進することが可能になる。なお、このように、単に電子ショップで商品を購買できるだけに留まらず、商品を購買することにより、企業等へ出資し得るポイントが付与されるという構成は、電子ショップ自体のアクセス頻度を高め、消費者の購買意欲を促進し得るという点でも極めて有効である。
【００１２】
【発明の実施の形態】
以下、添付図面を参照しつつ、本発明の実施形態について説明する。
（第１の実施形態）
図１は、本発明の第１の実施形態に係る出資システムの概要を示す構成図である。図１に示すように、本実施形態に係る出資システム１は、インターネット１３を介してクライアント端末１２に接続された管理サーバ１１を備えている。また、管理サーバ１１には、インターネット１３を介して、電子ショップを提供する所定の企業の電子ショップサーバ１４及び出資先となる企業又は個人が運営するホームページを提供する出資先サーバ１５が接続されている。
【００１３】
管理サーバ１１は、商品の購買が可能な電子ショップが掲載されたインデックスページと、企業に対するポイント（本実施形態では「eggs」と称する）の出資が可能な出資ページ（本実施形態では「eggs出資ページ」と称する）とを提供している。また、管理サーバ１１には、クライアント端末１２を通じて登録された顧客の個人情報（ＩＤやパスワード等）に対応付けて、当該顧客が所有する「eggs」が記憶保存されている。
【００１４】
次に、斯かる構成を有する出資システム１の動作について説明する。
図２は、管理サーバ１１が提供するトップページの画面表示例である。図２に示すように、トップページには、各種電子ショップが掲載されたインデックスページにアクセスするための「航空券」、「新幹線」、「ホテル」、「旅行」等の各種カテゴリー選択ボタン２が設けられている。また、前述したeggs出資ページにアクセスするための「eggs出資」ボタン３も設けられている。顧客が、クライアント端末１２を通じて、前記カテゴリー選択ボタン２又はeggs出資ボタン３をクリックすることにより、それぞれ対応するページが表示される。以下、インデックスページ及びeggs出資ページについて順次説明する。
【００１５】
（１）インデックスページ
前述したように、トップページでカテゴリー選択ボタン２をクリックすれば、インデックスページが表示される。図３は、カテゴリー選択ボタン２として「旅行」を選択した場合のインデックスページの表示画面例を示す。図３に示すように、インデックスページには、旅行に関する電子ショップの名称及びその概要が表示されている。電子ショップの名称はボタン形式とされており、当該名称ボタン２１をクリックすることにより、対応する電子ショップを提供する電子ショップサーバ１４にアクセスし得るように構成されている。ここで、顧客が、前記アクセスした電子ショップで所望する商品を購買した場合、電子ショップサーバ１４から管理サーバ１１に購買価格等が通知され、管理サーバ１１は、前記購買金額に応じたeggs（例えば、購買価格が１万円であり、１eggsが１円に相当するとした場合、この１０％に相当する１０００eggs）を算出して、当該eggsを前記顧客の個人情報に対応付けて記憶保存するように構成されている。
【００１６】
（２）eggs出資ページ
前述したように、トップページでeggs出資ボタン３をクリックすれば、まず、図４に示すログインページが表示される。図４に示すように、ログインページには、顧客のＩＤやパスワード等の個人情報を入力するための入力欄５１が設けられており、当該入力欄５１に個人情報を入力し、「ログイン」ボタン５２をクリックすれば、入力した個人情報が、管理サーバ１１に登録されているか否かが確認され、登録されていれば、正規の顧客であるとして、eggs出資ページが表示される。
【００１７】
図５は、eggs出資ページの表示画面例を示す。図５に示すように、eggs出資ページには、アクセスした顧客が現在所有しているeggs（ポイント）等を表示する顧客情報表示欄３１が設けられている。また、eggs出資ページには、出資を募集する企業又は個人の名称がボタン形式で表示された出資案件表示欄３２が設けられている。顧客は、顧客情報表示欄３１や出資案件表示欄３２の表示内容を確認した上で、出資を所望する企業又は個人を選択し、選択した企業又は個人のボタンをクリックすればよい。これにより、図６に示すように、当該企業又は個人に対する出資額を入力する出資額入力ページが表示される。図６に示す出資額入力欄３３に所定の出資額（eggs単位）を入力し、「決定」ボタン３４をクリックすれば、選択した企業又は個人への出資が完了する。出資が完了すれば、管理サーバ１１は、前記顧客の個人情報に対応付けて、出資したeggsを前記顧客の個人情報に対応付けられて記憶保存されたeggsから減算するように構成されている。なお、図５に示す出資案件表示欄３２には、図示したような企業又は個人の名称のみではなく、当該企業又は個人が運営するホームページ（図１の出資先サーバ１５が提供するホームページ）のコンテンツ概要やＵＲＬ、出資を希望する具体的事業の概要等を併せて表示したり、所定のボタンをクリックすることにより、出資先サーバ１５にアクセスし、当該出資先サーバ１５が提供するホームページを閲覧し得るように構成することも可能である。
【００１８】
ここで、前記出資したeggsは、その全てが選択した企業又は個人に出資されるのではなく、一部が残されて管理サーバ１１に逐次集積され記憶保存される（例えば、出資したeggsの５０％が企業又は個人に実際に出資され、４０％が残存され集積されて記憶保存され、残りの１０％が管理サーバ１１の運営者の手数料とされる）。前記集積されたeggsの全部又は一部は、所定期間の経過後（或いは、集積したeggsが所定額以上になった場合）に、抽選によって選ばれた所定の顧客に対し還元されるように構成されている。つまり、管理サーバ１１に登録された顧客の内、抽選によって選ばれた顧客の個人情報に対応付けて記憶保存されたeggsに対し、前記集積されたeggsの一部（当選者を１人とする抽選方法の場合には全部）が加算されるように構成されている。前記抽選の方法としては、当選者の人数や各当選者への分配率をどのように設定するか等により、種々の形態が適用可能である。なお、当選した旨は、顧客がクライアント端末１２を通じて予め登録した電子メールアドレス等に通知されるように構成されている。
【００１９】
なお、各顧客に対するeggsの付与は、前述した電子ショップでの商品の購買によるものに限らず、オプトインメールやアンケートの回答によっても付与されるように構成されている。つまり、図２に示すトップページにおいて、「オプトインメール」ボタン４をクリックし、所定の項目を入力することにより、管理サーバ１１は、クライアント端末１２に企業の広告を添付した電子メール（オプトインメール）を送信すると共に、所定のeggsを前記顧客の個人情報に対応付けて記憶保存するように構成されている。また、図２に示すトップページにおいて、「アンケート」ボタン５をクリックし、所定のアンケートに回答することにより管理サーバ１１は、所定のeggsを前記顧客の個人情報に対応付けて記憶保存するように構成されている。
【００２０】
（第２の実施形態）
次に、本発明の第２の実施形態について説明する。
本実施形態に係る出資システムも、図１に示す第１の実施形態と同様の構成を有し、インターネット１３を介してクライアント端末１２に接続された管理サーバ１１を備えている。また、管理サーバ１１には、インターネット１３を介して、電子ショップを提供する所定の企業の電子ショップサーバ１４及び出資先となる企業又は個人が運営するホームページを提供する出資先サーバ１５が接続されており、第１の実施形態と同様の動作を行うことが可能である。
【００２１】
ただし、本実施形態の場合には、出資先サーバ１５が提供するホームページに出資用ボタンが設けられている点で第１の実施形態と異なる。図７は、出資先サーバ１５が提供するホームページの画面表示例である。図７に示すように、出資先サーバ１５が提供するホームページには、出資用ボタン１５１が設けられており、当該ボタン１５１をクリックすることにより、第１の実施形態の場合と同様に、図４に示すログインページが表示され、個人情報を認証した後に、図６に示す出資額入力ページが表示される。つまり、本実施形態の場合、出資先サーバ１５が提供するホームページを閲覧等した顧客が、当該ホームページを運営する企業又は個人に出資を所望する場合、出資用ボタン１５１をクリックすることにより、迅速に当該企業等に出資することが可能である。換言すれば、管理サーバ１１の提供するeggs出資ページ（図５）にアクセスした顧客以外の顧客をも、出資システム１に効率良く誘引することが可能であるという利点を有する。
【００２２】
【発明の効果】
以上に説明したように、本発明に係る出資システムによれば、ポイント（金銭価値に対応付けられた数値）を出資ページにおいて所望する企業又は個人に出資することにより、当該出資されたポイントの一部が集積され、当該集積されたポイントの全部又は一部を、前記出資の対価として抽選により取得することが可能である。換言すれば、各顧客が出資したポイントは、一部を残して所望する企業又は個人に出資される一方、前記残された一部のポイントは集積されて、言わば宝くじの如く当選した顧客に還元されることになる。実際に企業等に出資されるポイントと残存させるポイントの比率や、当選人数等にも依存するものの、出資した顧客が多数に亘る場合には、その分集積されるポイントも増加するため、当選した顧客に還元されるポイントは、当該顧客が出資したポイント以上になる場合も当然あり得る。従って、顧客としては出資したポイント以上の対価が得られる可能性を期待し得ることになり、これは、たとえ知名度の乏しいベンチャー企業や個人等であったとしても、当該企業又は個人に対する一般消費者からの出資を促進することに通じるものである。
【図面の簡単な説明】
【図１】  図１は、本発明の一実施形態に係る出資システムの概要を示す構成図である。
【図２】  図２は、図１に示す管理サーバが提供するトップページの画面表示例である。
【図３】  図３は、図１に示す管理サーバが提供するインデックスページの画面表示例である。
【図４】  図４は、図１に示す管理サーバが提供するログインページの画面表示例である。
【図５】  図５は、図１に示す管理サーバが提供するeggs出資ページの画面表示例である。
【図６】  図６は、図１に示す管理サーバが提供する出資額入力ページの画面表示例である。
【図７】  図７は、図１に示す出資先サーバが提供するホームページの画面表示例である。
【符号の説明】
１    出資システム
１１  管理サーバ
１２  クライアント端末
１３  インターネット
１４  電子ショップサーバ
１５  出資先サーバ
【図１】
0004790938.tif 000002
【図２】
0004790938.tif 000003
【図３】
0004790938.tif 000004
【図４】
0004790938.tif 000005
【図５】
0004790938.tif 000006
【図６】
0004790938.tif 000007
【図７】
0004790938.tif 000008